(57)【要約】      （修正有）【課題】光の陰影で優れた美観を演出することができる照明装置用補助具及びこの照明装置用補助具を備えた照明装置を提供する。【解決手段】照明装置１０を口金１４方向から取付孔に挿入すると、取付孔は、照明装置１０の口金１４側は通過可能であるが、導光部材１６側は通過することができない大きさに形成されているため、照明装置１０の一部が取付孔が通過した状態で取付孔とひっかかり、取付孔と照明装置１０とが係合する。こうすることにより、照明装置用補助具２０を照明装置１０に容易に固定することができる。このとき、飾り用円盤２８がＬＥＤ１２と導光部材１６の先端との間の位置に位置決めされるため、導光部材１６によって拡散された光が飾り用円盤２８によって拡散され、飾り用円盤２８を有しない場合と比較して、優れた美観を演出するように構成した。【選択図】図２
2012248507.tif 000002
【特許請求の範囲】
【請求項１】
光源を含む発光部が設けられた照明装置に取り付けられる照明装置用補助具であって、
前記照明装置と係合する取付部材と、
前記発光部から照射された光の少なくとも一部を拡散する二以上の拡散板と、
前記拡散板を前記発光部の先端よりも前記光源に近い中間位置にそれぞれ位置決めする位置決定部材と、
を備えた、
照明装置用補助具。
【請求項２】
前記拡散板は、前記照明装置に前記取付部材が係合した際に、前記発光部の少なくとも一部が通過する第一通過孔を有する、
請求項１に記載の照明装置用補助具。
【請求項３】
請求項１又は２に記載の照明装置用補助具であって、
前記光源と前記拡散板との間の位置に、前記発光部の少なくとも一部が通過可能な第二通過孔を有する遮蔽板、
を備えた、
照明装置用補助具。
【請求項４】
前記遮蔽板は、前記拡散板側の表面が鏡面である、
請求項３に記載の照明装置用補助具。
【請求項５】
前記拡散板は、端部が面取り加工されている、
請求項１〜４のいずれか１項に記載の照明装置用補助具。
【請求項６】
前記取付部材は、前記照明装置の少なくとも一部が通過可能な着脱孔を有し、前記着脱孔に前記照明装置の一部が挿入されると、前記発光部の少なくとも一部が前記第一通過孔を通過するとともに、前記照明装置の外面の一部と前記着脱孔の内面の一部とが係合することにより、前記照明装置に固定される、
請求項１〜５のいずれか１項に記載の照明装置用補助具。
【請求項７】
前記位置決定部材は、前記拡散板同士の距離が略同一の距離となる位置に位置決めする、
請求項１〜６のいずれか１項に記載の照明装置用補助具。
【請求項８】
前記位置決定部材は、二以上の前記拡散板の全てを貫通する貫通棒と、前記拡散板と前記貫通棒とを固定する固定部と、からなる、
請求項１〜７のいずれか１項に記載の照明装置用補助具。
【請求項９】
前記位置決定部材は、弾性体である、
請求項１〜７のいずれか１項に記載の照明装置用補助具。
【請求項１０】
前記拡散板は、いずれも略円板形状であり、略同一の大きさである、
請求項１〜９のいずれか１項に記載の照明装置用補助具。
【請求項１１】
前記拡散板は、略三角形状、略四角形状、略五角形状、略六角形状、略八角形状のいずれかの形状であり、略同一の大きさである、
請求項１〜１０のいずれか１項に記載の照明装置用補助具。
【請求項１２】
前記拡散板は、表面に所定の模様又は加工が施された拡散板である、
請求項１〜１１のいずれか１項に記載の照明装置用補助具。
【請求項１３】
請求項１〜１２のいずれか１項に記載の照明装置用補助具が前記取付部材によって取り付けられる、
照明装置。
【請求項１４】
前記発光部は、前記光源から照射された光を拡散する導光部が設けられている、
請求項１３に記載の照明装置。
【請求項１５】
請求項１３又は１４に記載の照明装置であって、
前記光源に当接する冷却部材を、
備え、
前記光源は、ＬＥＤ光源である、
照明装置。
【請求項１６】
前記照明装置の外殻形状と前記着脱孔の形状とが略同一である、
請求項１３〜１５のいずれか１項に記載の照明装置。
【発明の詳細な説明】
【技術分野】
【０００１】
本発明は、照明装置及び照明装置用補助具に関する。
【背景技術】
【０００２】
従来、天井面に埋め込まれて使用される照明器具が知られている。例えば、特許文献１には、反射板で覆われた光源から照射された光が通過する通光部を有する枠体と、この枠体の内面側に弾性的に先端部が当接した反射板と、を備えた照明器具が記載されている。この照明器具によれば、反射板と遮光板とで、枠体から光が漏れることを防止している。
【先行技術文献】
【特許文献】
【０００３】
【特許文献１】特開平７−１４４１０号公報
【発明の概要】
【発明が解決しようとする課題】
【０００４】
こうした照明器具では、枠体から光が漏れることにより美観が損なわれることを未然に防ぐことはできるが、発光部から照射された光を利用して美観を優れたものとすることは何ら考慮されていない。このため、このような照明器具を用いても、所定の空間に光を供給することはできるが、所定の空間を光で美観を演出することはできないという課題がある。
【０００５】
本発明は、このような課題に鑑みなされたものであり、例えば、天井等に照明装置が取り付けられた際、光の陰影で優れた美観を演出することができる照明装置用補助具及びこの照明装置用補助具を備えた照明装置を提供することを主目的とする。
【課題を解決するための手段】
【０００６】
本発明は、上述の主目的を達成するために以下の手段を採った。
【０００７】
本発明の照明装置用補助具は、
光源を含む発光部が設けられた照明装置に取り付けられる照明装置用補助具であって、
前記照明装置と係合する取付部材と、
前記発光部から照射された光の少なくとも一部を拡散する二以上の拡散板と、
前記拡散板を前記発光部の先端よりも前記光源に近い中間位置にそれぞれ位置決めする位置決定部材と、
を備えたものである。
【０００８】
この照明装置用補助具では、照明装置に取付部を係合させて取り付けると、二以上の拡散板が発光部の先端より光源に近い中間位置に位置決めされる。このため、発光部から照射された光が拡散板によって拡散されることになり、拡散板を備えていない場合と比較して、より発光部からの光を広範囲に拡散することができ、優れた美観を演出することができる。
【０００９】
本発明の照明装置用補助具において、前記拡散板は、前記照明装置に前記取付部材が係合した際に、前記発光部の少なくとも一部が通過する第一通過孔を有していてもよい。こうすれば、照明装置用補助具が照明装置に取り付けられた際、拡散板の中央に発光部を位置決めすることができるため、円板状の拡散板を用いた場合には、いずれの方向から見た場合も同様の美観を演出することができる。この効果は、特に複数の照明装置に本発明の照明装置用補助具が取り付けられた際に、全体としての一体感を有する優れた美観を演出することができるため、特に有効である。
【００１０】
本発明の照明装置用補助具は、前記光源と前記拡散板との間の位置に、前記発光部の少なくとも一部が通過可能な第二通過孔を有する遮蔽板、を備えていてもよい。こうすれば、光が拡散される方向から見た場合に光源が遮蔽板によって視認され難くなる。言い換えると、光源の形状等によって美観が損なわれる可能性を未然に低減することができるため、遮蔽板を備えていない場合と比較して、より優れた美観を演出することができる。この態様を採用した本発明の照明装置用補助具において、前記遮蔽板は、前記拡散板側の表面が鏡面であってもよい。こうすれば、拡散板から遮蔽板の方向に拡散された光が鏡面で反射するため、鏡面を有しない場合と比較して、光量が増加し、拡散される光による陰影が明確になる。言い換えると、鏡面を有しない場合と比較して、より優れた美観を演出することができる。なお、ここで鏡面とは、拡散板で拡散された光を反射可能な状態に加工された面を意味し、例えば、鏡面加工やバフ加工等により表面加工が施された面を意味する。
【００１１】
本発明の照明装置用補助具は、前記拡散板は、端部が面取り加工されていてもよい。こうすれば、端部が面取り加工されていない場合と比較して、端部で光が拡散される方向が変化し、光がより多くの方向に拡散する。言い換えると、より優れた美観を演出することができる。
【００１２】
本発明の照明装置用補助具において、前記取付部材は、前記照明装置の少なくとも一部が通過可能な着脱孔を有し、前記着脱孔に前記照明装置の一部が挿入されると、前記発光部の少なくとも一部が前記第一通過孔を通過するとともに、前記照明装置の外面の一部と前記着脱孔の内面の一部とが係合することにより、前記照明装置に固定されるものであってもよい。こうすれば、照明装置を取付部材の着脱孔に挿入することで、照明装置の外面の一部と着脱孔の内面の一部が係合するため、照明装置を着脱孔に挿入するという簡単な操作で照明装置を取り付けることができる。言い換えると、取付部材が着脱孔を有しない場合と比較して、より少ない労力で優れた美観を演出することができる。
【００１３】
本発明の照明装置用補助具において、前記位置決定部材は、前記拡散板同士の距離が略同一の距離となる位置に位置決めしてもよい。こうすれば、拡散板が等距離に配置されることになるため、拡散板によって反射される光にも周期性が得られる。拡散板同士の距離が不同一な場合には拡散される光に雑然とした印象を得る可能性があるため、拡散板同士の距離を略同一とすることで、より優れた美観を演出することができる。
【００１４】
本発明の照明装置用補助具において、前記位置決定部材は、二以上の前記拡散板の全てを貫通する貫通棒と、前記拡散板と前記貫通棒とを固定する固定部と、からなるものであってもよい。こうすれば、二以上の拡散板が貫通棒によって固定されるため、拡散板が動く可能性を未然に低減することができる。言い換えると、拡散板が動くことによって拡散される光が変化し、美観が損なわれる可能性を未然に低減することで、より優れた美観を演出することができる。
【００１５】
本発明の照明装置用補助具において、前記位置決定部材は、弾性体であってもよい。こうすれば、弾性体の弾性力により、外力によって拡散板が一度動いた場合には、拡散板が振動し、拡散板によって拡散される光を振動させることができる。言い換えると、拡散板が固定されている場合と比較して、拡散板によって拡散される光に変化を持たせることができるため、より優れた美観を演出することができる。
【００１６】
本発明の照明装置用補助具において、前記拡散板は、いずれも略円板形状であり、略同一の大きさであってもよい。こうすれば、拡散板によって拡散される光の範囲も略同一となるため、拡散された光が全体として統一感を有し、拡散板の形状が異なる場合と比較して、より優れた美観を演出することができる。
【００１７】
本発明の照明装置用補助具において、前記拡散板は、略三角形状、略四角形状、略五角形状、略六角形状、略八角形状のいずれかの形状であり、略同一の大きさであってもよい。こうすれば、拡散板の形状に応じた形で光源から照射された光を拡散することができるため、所望の形状の拡散板を用いることで、所望の美観を演出することができる。
【００１８】
本発明の照明装置用補助具において、前記拡散板は、表面に所定の模様又は加工が施された拡散板であってもよい。こうすれば、拡散板の表面の模様又は加工に応じた形で光源から照射された光を拡散することができるため、所望の優れた美観を演出することができる。
【００１９】
本発明の照明装置は、上述したいずれかに記載の照明装置用補助具が前記取付部材によって取り付けられたものである。本発明の照明装置は、本発明の照明装置用補助具が取り付けられていることにより、例えば、優れた美観を演出することができるという本発明の照明装置用補助具と同様の効果が得られる。
【００２０】
本発明の照明装置において、前記発光部は、前記光源から照射された光を拡散する導光部と、が設けられていてもよい。こうすれば、光源から照射された光を導光部で拡散した後、さらに拡散板で拡散することができるため、より小さな光源や光源から収束された光が照射される光源を用いた場合であっても、広範囲に光を拡散し、優れた美観を演出することができる。
【００２１】
本発明の照明装置において、前記光源に当接する冷却部材を、備え、前記光源は、ＬＥＤ光源であってもよい。こうすることにより、ＬＥＤを使用することによって発生した熱を冷却することができ、ＬＥＤの寿命を延ばすことができる。言い換えると、長期間優れた美観を演出することができる。
【００２２】
本発明の照明装置において、前記照明装置の外殻形状と前記着脱孔の形状とが略同一であってもよい。こうすれば、照明装置を着脱孔に挿入した際、照明装置の外殻と着脱孔とがぴったりと当接するため、照明装置と着脱孔との間に空間が生まれる可能性を未然に低減することができる。言い換えると、照明装置と照明装置用補助具とをしっかりと固定することができる。
【図面の簡単な説明】
【００２３】
【図１】図１は、照明装置用補助具２０を照明装置１０に取り付けた状態の構成の概略を示す斜視図である。
【図２】図２は、照明装置用補助具２０を照明装置１０に取り付けた状態の構成の概略を示す側面図である。
【図３】図３は、照明装置用補助具２０中心で縦方向に切断した状態の構成の概略を示す断面図である。
【図４】図４は、照明装置用補助具２０を構成する各円盤の構成の概略を説明するための説明図であり、図４Ａは固定用円盤２２の構成の概略を示す平面図を、図４Ｂはミラー円盤２６の構成の概略を示す平面図を、図４Ｃは、飾り用円盤２８の構成の概略を示す平面図を、それぞれ示している。
【図５】図５は、照明装置１０と固定用円盤２２との関係を説明するための説明図である。
【図６】図６は、照明装置用補助具２０の構成の概略を示す正面図である。
【図７】図７は、照明装置用補助具２０の構成の概略を示す平面図である。
【図８】図８は、照明装置用補助具２０の構成の概略を示す左側面図である。
【図９】図９は、照明装置用補助具２０の構成の概略を示す右側面図である。
【図１０】図１０は、照明装置用補助具２０の構成の概略を示す底面図である。
【図１１】図１１は、照明装置用補助具２０の構成の概略を示す背面図である。
【図１２】図１２は、照明装置用補助具２０の折り畳み状態の構成の概略を示す側面図である。
【図１３】図１３は、他の実施の形態における照明装置用補助具１２０の構成の概略を示す斜視図である。
【図１４】図１４は、他の実施の形態における照明装置用補助具２２０の構成の概略を示す側面図である。
【図１５】図１５は、他の実施の形態における照明装置用補助具２３０の構成の概略を示す側面図である。
【図１６】図１６は、他の実施の形態における照明装置用補助具２４０の構成の概略を示す側面図である。
【発明を実施するための形態】
【００２４】
ここで、上記簡単に説明した図面に基づいて、本発明を実施するための形態を説明するにあたり、本実施の形態の構成要素と本発明の構成要素との対応関係を明らかにする。本実施の形態の照明装置１０が本発明の照明装置に相当し、照明装置用補助具２０が照明装置用補助具に相当し、ＬＥＤ１２が光源に相当し、金属部１３が冷却部材に相当し、導光部材１６が導光部に相当し、ＬＥＤ１２及び導光部材１６が発光部に相当し、固定用円盤２２が取付部材に相当し、取付孔２３が着脱孔に相当し、飾り用円盤２８が拡散板に相当し、ボルト３０が貫通棒に相当し、ナット３２が固定部に相当し、ボルト３０及びナット３２が位置決定部材に相当し、通過孔２７ａが第二通過孔に相当し、通過孔２７ｂが第一通過孔に相当し、ミラー円盤２６が遮蔽板に相当する。なお、照明装置１０に照明装置用補助具２０を取り付ける取付方法を説明することにより、照明装置用補助具２０の使用方法の一例を明らかにしている。
【００２５】
次に、図１〜図５を用いて、本発明の実施の形態の一例である照明装置用補助具２０の構成を詳しく説明する。なお、照明装置用補助具２０の構成をより明確にするため、図６〜図１１に照明装置用補助具２０の六面図を示す。この照明装置用補助具２０は、図１に示すように、照明装置１０の外面と係合する固定用円盤２２と、固定用円盤２２と略平行な状態で位置決めされる２枚の飾り用円盤２８と、固定用円盤２２と飾り用円盤２８との間に位置決めされるミラー円盤２６と、ミラー円盤２６及び飾り用円盤２８を固定用円盤２２にそれぞれ固定するボルト３０と、を備えている。
【００２６】
照明装置１０は、図１に示すように、公知の白熱電球と同様に使用可能な照明装置であり、白熱電球用の取付口に口金１４を螺合して使用する。取付口に口金１４を螺合すると、通電し照明装置１０に電力が供給可能な状態となる。この照明装置１０には、口金１４方向から、口金１４、金属部１３、ＬＥＤ１２、導光部材１６の順番で配置されており、口金１４と金属部１３、金属部１３とＬＥＤ１２はそれぞれ当接している（図２参照）。このため、ＬＥＤ１２によって発生した熱は、金属部１３に伝えられることになり、ＬＥＤ１２の温度が上昇することを未然に防止し、ＬＥＤ１２が予期しない動作をする可能性を未然に低減することができる。また、ＬＥＤ１２と対向する位置には、デザイン化された導光部材１６が備えられており、ＬＥＤ１２から照射された光は導光部材１６で所望の方向に拡散され、周囲を明るく照らす。このとき、導光部材１６を所望の形に形成することにより、拡散される光で描かれる模様を所望の模様にすることができるため、導光部材１６のデザインと導光部材１６で拡散された光で描かれる模様とで、優れた美観を演出することができる。
【００２７】
固定用円盤２２は、図４Ａに示すように、アクリル製の円盤状部材であり、中央部に略円形形状の取付孔２３が設けられている。この取付孔２３は、照明装置１０の一部のみが通過可能な大きさに形成されており、内側方向に向かって略三角形状に突出した係合爪２４が設けられている。このため、照明装置１０を取付孔２３に挿入すると、照明装置１０の一部が通過した状態で、照明装置１０の外面の一部に係合爪２４がひっかかり、照明装置１０に固定用円盤２２を取り付けることができる。言い換えると、照明装置用補助具２０に照明装置を挿入するという簡単な操作で、照明装置用補助具２０を照明装置１０に取り付けることができる。このとき、この係合爪２４は、取付孔２３の中心から対象の位置にそれぞれ６つ設けられているため、照明装置１０に取り付けられた際には、それぞれの係合爪２４に対して、略同一の力がかかることになる。このため、いずれかの係合爪２４に力が集中し、いずれかの係合爪２４が破損する可能性を未然に低減することができる。また、取付孔２３の周囲には、略円形の貫通孔２５ａが固定用円盤２２の中心から略同一の距離の位置にそれぞれ４つ設けられている。
【００２８】
ミラー円盤２６は、図４Ｂに示すように、アクリル製の円盤状部材であり、中央部に導光部材１６が通過可能な大きさの略円形状の通過孔２７ａが設けられている。このミラー円盤２６は、両面に鏡面加工が施されており、ミラー円盤２６に照射された光を反射することができ、ミラー円盤２６を光が透過することを未然に防ぐことができる。また、ミラー円盤２６の外縁部及び通過孔２７ａの縁部の下面側は、図３に示すように、面取り加工により縁部方向が薄くなる向きに傾斜面２１がそれぞれ設けられている。このため、導光部材１６によって拡散された光が縁部に照射された際には、これらの縁部に面取り加工が施されていない場合と比較して、縁部で拡散される光の方向が変化し、より優れた美観を演出することができる。更に、図４Ｂに示すように、通過孔２７ａの周囲には、ボルト３０のねじ山が通過可能な直径を有する略円形の貫通孔２５ｂがミラー円盤２６の中心から略同一の距離の位置にそれぞれ４つ設けられている。この貫通孔２５ｂを固定用円盤２２の中心とミラー円盤２６の中心とが同一の位置となるように重ねた場合には、貫通孔２５ａと重なる位置に設けられているため、貫通孔２５ａにボルト３０を挿入した際には、貫通孔２５ｂにもボルト３０が挿入され、固定用円盤２２とミラー円盤２６とが略平行に位置決めされることになる。
【００２９】
飾り用円盤２８は、図４Ｃに示すように、アクリル製の円盤状部材であり、中央部に導光部材１６が通過可能な大きさの略円形状の通過孔２７ｂが設けられている。このため、飾り用円盤２８の中心方向から照射された光が飾り用円盤２８によって拡散され、優れた美観を演出することができる。また、飾り用円盤２８の外縁部及び通過孔２７ｂの縁部の下面側は、図３に示すように、面取り加工により縁部方向が薄くなる向きに傾斜面２１がそれぞれ設けられている。このため、導光部材１６によって拡散された光が縁部に照射された際には、これらの縁部に面取り加工が施されていない場合と比較して、縁部で拡散される光の方向が変化し、より優れた美観を演出することができる。更に、図４Ｃに示すように、通過孔２７ｂの周囲には、ボルト３０のねじ山が通過可能な直径を有する略円形の貫通孔２５ｃがミラー円盤２６の中心から略同一の距離にそれぞれ設けられている。この貫通孔２５ｃを固定用円盤２２の中心と飾り用円盤２８の中心とが同一の位置となるように重ねた場合には、貫通孔２５ａと重なる位置に設けられているため、貫通孔２５ａにボルト３０を挿入した際には、貫通孔２５ｃにもボルト３０が挿入可能である。なお、同様に貫通孔２５ｂとも重なるため、貫通孔２５ａにボルト３０を挿入した場合には、貫通孔２５ｂ及び貫通孔２５ｃにもボルト３０が挿入され、固定用円盤２２とミラー円盤２６及び飾り用円盤２８とが略平行に位置決めされることになる。
【００３０】
ボルト３０は、図２に示すように、金属製のボルトであり、ボルトの軸部分にはねじ溝が設けられている。このボルト３０は、軸部分に予め３つのナット３２が備えられており、このナット３２は、ボルト３０の軸部に設けられたねじ溝と螺合して所望の位置に固定される。このボルト３０は、固定用円盤２２に設けられた４つの貫通孔２５ａにねじ先方向からそれぞれ挿入され、ミラー円盤２６及び飾り用円盤２８に設けられた貫通孔２５ｂ及び貫通孔２５ｃを通過して、固定用円盤２２とミラー円盤２６及び飾り用円盤２８を固定する。
【００３１】
照明装置用補助具２０を照明装置１０に固定する際には、固定用円盤２２に設けられた取付孔２３、ミラー円盤２６及び飾り用円盤２８に設けられた通過孔２７ａ及び通過孔２７ｂのそれぞれに照明装置１０を口金１４側から挿入する。このとき、通過孔２７ａ及び通過孔２７ｂは、照明装置１０が通過可能な大きさに形成されているため、照明装置１０は通過孔２７ａ及び通過孔２７ｂを通過する。しかしながら、取付孔２３は、照明装置１０の一部のみが通過可能な大きさに形成されているため、照明装置１０の一部が通過した状態で、照明装置１０の外面の一部に係合爪２４がひっかかり、照明装置１０に照明装置用補助具２０が固定されることになる。このため、例えば、天井に取り付けられた取付口に照明装置１０の口金１４を螺合した場合には、照明装置用補助具２０の自重により、照明装置１０に照明装置用補助具２０が固定されることになる。
【００３２】
ここで、照明装置１０と照明装置用補助具２０との固定方法について、図５を用いて、更に詳しく説明する。照明装置１０の基部は、図１に示すように、傾斜面を有している。この傾斜面の口金１４側は取付孔２３を通過可能であるが、導光部材１６側は、取付孔２３を通過することができない大きさに形成されている。このため、照明装置１０が取付孔２３を通過する際には、通過中に係合爪２４が傾斜面に形成されている溝と係合し、固定用円盤２２が照明装置１０に固定されることになる。こうすることにより、係合爪２４を有しない場合と比較して、照明装置用補助具２０が回転する可能性を未然に低減することができる。
【００３３】
このように照明装置１０に固定用円盤２２を固定した後に、ナット３２をボルト３０に設けられたねじ溝に沿って回転させ、所望の位置に位置決めする。こうすることにより、ナット３２が下方からミラー円盤２６及び飾り用円盤２８を支持し、自重によりミラー円盤２６及び飾り用円盤２８が位置決めされる。このとき、ミラー円盤２６がＬＥＤ１２と導光部材１６との間の位置に位置決めすれば、ミラー円盤２６によって導光部材１６から拡散された光が反射され、優れた美観を演出することができる。同時に、ミラー円盤２６によって視線が遮られるため、ＬＥＤ１２を含む照明装置１０の基部が見えにくくなり、照明装置１０の基部等が見えることにより、美観が損なわれる可能性を未然に低減することができる。また、飾り用円盤２８を導光部材１６の側面に位置決めすることにより、ミラー円盤２６によって反射された光や導光部材１６によって拡散された光が飾り用円盤２８によって拡散され、優れた美観を演出することができる。このとき、ボルト３０同士の距離を略同一の距離とすることにより、ミラー円盤２６と飾り用円盤２８、飾り用円盤２８同士の距離を略同一にすることができ、それぞれの円盤同士の距離が異なる場合と比較して、拡散される光に周期性が生じ、全体としての一体感をもたせ、優れた美観を演出することができる。
【００３４】
照明装置１０から照明装置用補助具２０を離脱する場合には、照明装置用補助具２０を照明装置１０に固定した時と逆の操作、すなわち、照明装置１０を取付孔２３及び通過孔２７ａ及び通過孔２７ｂから離脱させればよい。この後、ナット３２をボルト３０のねじ溝に沿ってボルト３０の頭部方向に移動させることによって、図１２に示すように、照明装置用補助具２０を折り畳み状態にすることができる。こうすることにより、照明装置用補助具２０の占有領域を小さくすることができるため、輸送時等に必要な占有スペースを低減することができる。
【００３５】
以上詳述した本実施の形態の照明装置用補助具２０によれば、照明装置１０を口金１４方向から取付孔２３に挿入すると、照明装置１０と取付孔２３とがひっかかり、取付孔２３と照明装置１０とが係合する。こうすることにより、照明装置用補助具２０を照明装置１０に容易に固定することができる。このとき、飾り用円盤２８がＬＥＤ１２と導光部材１６の先端との間の位置に位置決めされるため、導光部材１６によって拡散された光が飾り用円盤２８によって拡散され、飾り用円盤２８を有しない場合と比較して、優れた美観を演出することができる。
【００３６】
また、飾り用円盤２８には通過孔２７ｂを有しているため、飾り用円盤２８の中央に導光部材１６を位置決めすることができる。こうすることにより、いずれの方向から見た場合も同様の美観を演出することができる。この効果は、特に複数の照明装置１０に照明装置用補助具２０が取り付けられた際に、全体としての一体感を有する優れた美観を演出することができるため、特に有効である。また、照明装置１０を取付孔２３に挿入する際、照明装置１０をこの通過孔２７ｂを通過させることで、容易に取り付けることができる。言い換えると、取り付け時の労力を低減しつつ、選りすぐれた美観を演出することができる。
【００３７】
更に、飾り用円盤２８と固定用円盤２２との間にミラー円盤２６が備えられているため、照明装置１０から照射された光が反射され、優れた美観を演出することができる。加えて、ミラー円盤２６によってＬＥＤ１２等の照明装置１０の基部が外部に露出する可能性を未然に低減し、照明装置１０の基部によって美観が損なわれる可能性を未然に低減することができる。特に、光源としてＬＥＤ１２を用いた場合には、ＬＥＤ１２の品質を保つためにＬＥＤ１２による発熱を放出する冷却機構として金属部１３が必要となるが、この冷却機構は外部に露出する必要があるため、外部から視認され美観に与える影響が大きい。このため、ミラー円盤２６を用いることによる効果が大きい。
【００３８】
更にまた、ミラー円盤２６及び飾り用円盤２８の縁部には、面取り加工により傾斜面２１が設けられているため、縁部が面取り加工されていない場合と比較して、照明装置１０から照射された光が拡散される方向が変化し、より優れた美観を演出することができる。
【００３９】
そして、取付孔２３は、照明装置１０の口金１４側は通過可能であるが、導光部材１６側は通過することができない大きさに形成されているため、照明装置１０を取付孔２３に挿入すると、照明装置１０の一部が通過した状態で取付孔２３とひっかかり、照明装置用補助具２０が照明装置１０に取り付けられる。このため、照明装置１０を取付孔２３に挿入するという簡単な操作で、照明装置１０に照明装置用補助具２０を取り付け、優れた美観を演出することができる。
【００４０】
そしてまた、全ての飾り用円盤２８は、ナット３２によって互いに略同一の間隔で固定されているため、飾り用円盤２８によって反射される光に全体として統一感が生じ、飾り用円盤２８同士の距離が不同一な場合に生じる雑然とした印象を与える可能性を未然に低減することができる。
【００４１】
そして更にまた、全ての飾り用円盤２８は、略円板形状であり、略同一の大きさであるため、飾り用円盤２８によって拡散される光の範囲も略同一となり、拡散された光が全体として統一感を有し、飾り用円盤２８の大きさに統一性がない場合と比較して、より優れた美観を演出することができる。
【００４２】
加えて、導光部材１６によってＬＥＤ１２から照射された光が拡散されるため、ＬＥＤ１２から照射された光が導光部材１６と飾り用円盤２８とのそれぞれで拡散されることになり、導光部材１６を有しない場合と比較して、より優れた美観を演出することができる。
【００４３】
更に加えて、取付孔２３には内側方向に突出する略三角形状の係合爪２４が備えられており、この係合爪２４が照明装置１０の傾斜面に形成されている溝と係合するため、照明装置用補助具２０を照明装置１０に取り付けた際、ぴったりと当接した状態で取り付けることができる。このため、照明装置用補助具２０が意図せず動いてしまうことで、拡散された光の演出が動き、美観が損なわれる可能性を未然に低減することができる。
【００４４】
なお、本発明は上述した実施形態に何ら限定されることはなく、本発明の技術的範囲に属する限り種々の態様で実施し得ることはいうまでもない。
【００４５】
例えば、上述した実施の形態では、ミラー円盤２６及び飾り用円盤２８は円板状のものであるとしたが、略三角形状板や、略四角形状板、略五角形状板、略六角形状板、略八角形状板等の多角形状板であってもよい。こうすれば、それぞれの形状に応じて拡散される光の状態を変更することができるため、所望の美観を演出することができる。これらの多角形状の一例として、例えば、ミラー円盤２６及び飾り用円盤２８が略六角形形状である例を図１３に示す。なお、略三角形状その他の形状についても同様に実施することができるため、ここでは説明を省略する。
【００４６】
この態様を採用した場合において、ミラー円盤２６及び飾り用円盤２８は同一の形状で無くともよく、例えば、ミラー円盤２６が略円板状で飾り用円盤２８が略六角形状板であってもよい。この場合には、ミラー円盤２６で反射された略円形の拡散光に飾り用円盤２８で拡散された略六角形状の拡散光が重なることにより、ミラー円盤２６と飾り用円盤２８とが同一の形状である場合と異なる美観を演出することができる。
【００４７】
上述した実施の形態では、ミラー円盤２６及びそれぞれの飾り用円盤２８は略同一の大きさであるものとしたが、それぞれの飾り用円盤２８の大きさは異なっていてもよい。例えば、ミラー円盤２６と比較して飾り用円盤２８が小さくとも良い。こうすれば、ミラー円盤２６で反射された光の範囲内に飾り用円盤２８で拡散された光が重なるため、飾り用円盤２８で拡散された光の周りをミラー円盤２６で反射された光を囲うような美観を演出することができる。
【００４８】
上述した実施の形態では、飾り用円盤２８を用いるものとしたが、飾り用円盤２８の表面は、所望の模様又は加工が施されていても良い。この模様又は加工としては、例えば、皮・梨地・木目・布目などのデザイン模様を表面に施すシボ加工を行っても良いし、反対側が半透過する加工（例えば、反対側が霞がかかったような印象を与える加工や、反対側がぼんやりと見えるような印象を与える加工等）を行っても良いし、細かな粒状の模様がちりばめられた印象を与えるピンスポット加工を行っても良いし、小さなダイヤ形状等の多角形形状の模様がちりばめられた印象を与えるダイヤカット加工を行っても良いし、多数の溝が略平行となるようちりばめられた印象を与える線カット加工を行っても良い。いずれの場合であっても、表面加工の種類によって拡散される光の状態を変更することができるため、所望の美観を演出することができる。
【００４９】
飾り用円盤２８の一例として、三菱レイヨン社製のアクリライト（「アクリライト」は三菱レイヨン社の登録商標）のピンスポット（Ｋ６  ００１）を例に説明する。表面加工が施された面が下方に位置するように配置した場合の光学特性は、反射率が２６％、平行光線透過率が８％、拡散光線透過率が３７％、全光線透過率が４５％である。このとき、下面側から見る者に対して、光沢感がある印象を与えることができる。このような美観が演出される理由は明らかではないが、発明者らは、平行光線透過率が他の光学特性に比べて特に低いためであると考えている。一方、表面加工が施された面が上方に位置するように配置した場合の光学特性は、反射率が５％、平行光線透過率が１３％、拡散光線透過率が７９％、全光線透過率が９２％である。このとき、下面側から見る者に対して、ぼんやりとした印象や奥深い位置で反射されているような印象を与えることができる。このような美観が演出される理由は明らかではないが、発明者らは、反射率が低く全光線透過率が高いためであると考えている。
【００５０】
上述した実施の形態では、ミラー円盤２６及び飾り用円盤２８の外縁部及び通過孔２７ａ及び通過孔２７ｂの縁部には、面取り加工により傾斜面２１が設けられているものとしたが、ミラー円盤２６及び飾り用円盤２８の外縁部のみを面取り加工し、通過孔２７ａ及び通過孔２７ｂの縁部は面取り加工を行わなくとも良い。この場合も、上述した実施の形態と同様の効果が得られる。また、ミラー円盤２６又は飾り用円盤２８のいずれかの外縁部のみ面取り加工するものとしてもよいし、いずれも面取り加工しなくても良い。これらの場合には、面取り加工をする労力を低減しつつ、優れた美観を演出することができる。
【００５１】
上述した実施の形態では、ミラー円盤２６及び飾り用円盤２８の外縁部及び通過孔２７ａ及び通過孔２７ｂの縁部には、面取り加工により傾斜面２１が設けられているものとしたが、ミラー円盤２６及び飾り用円盤２８の外縁部及び通過孔２７ａ及び通過孔２７ｂの縁部には、例えば、Ｒ面取り加工のように、丸みを帯びた形状による面取り加工が施されていても良い。こうすれば、縁部での光の拡散方向が丸みを帯びた形状に従って変化していくため、縁部に傾斜面２１を有している場合とは、異なる美観を演出することができる。
【００５２】
上述した実施の形態では、飾り用円盤２８をボルト３０及びナット３２によって固定するものとしたが、図１４に示すように、ボルト３０及びナット３２の代わりに、雌ねじ１２１、スペーサーねじ１２２及び雄ねじ１２４を用いても良い。具体的には、図１４に示すように、固定用円盤２２を上側に配置した雌ねじ１２１と下側に配置したスペーサーねじ１２２とで挟んで固定する。このとき、スペーサーねじ１２２は固定用円盤２２に設けられた貫通孔２５ａを一部が通過し、雌ねじ１２１とスペーサーねじ１２２とが螺合することにより、固定用円盤２２を両側から固定することができる。スペーサーねじ１２０を固定用円盤２２にそれぞれ固定した後、ミラー円盤２６を配置する。続いて、ミラー円盤２６に設けられている貫通孔２５ｂにスペーサーねじ１２２の先端を挿入し、スペーサーねじ１２２同士を螺合する。スペーサーねじ１２２は予め所望の長さに形成されているため、ボルト３０及びナット３２を用いて固定する場合と比較して、固定用円盤２２とミラー円盤２６とを所望の距離だけ離れた状態で固定する際の労力を低減しつつ、所望の美観を演出することができる。なお、ミラー円盤２６に飾り用円盤２８を固定する方法及び飾り用円盤２８同士を固定する方法についても同様であるため、ここでは説明を省略する。また、全ての円盤を取り付けた後には、最後に雄ねじ１２４を最下部に備えられたスペーサーねじ１２２に螺合する。こうすることにより、最も下部に取り付けられた飾り用円盤２８が落下する可能性を未然に低減することができる。
【００５３】
上述した実施の形態では、飾り用円盤２８をボルト３０及びナット３２によって固定するものとしたが、図１５に示すように、ボルト３０の代わりにワイヤ等の紐状部材１３１を用い、ナット３２の代わりにゴムプッシュ等の紐状部材の所望の位置に位置決め可能な位置決め部材１３２を用いても良い。こうすれば、風等の影響により飾り用円盤２８が動くため、飾り用円盤２８によって拡散される光も同時に動かすこともできる。言い換えると、光の動きを演出することができるため、飾り用円盤２８を固定した場合と比較して、より多彩な美観を演出することができる。また、輸送時には、飾り用円盤２８同士の距離を近づけることにより、紐状部材がたわみ、コンパクトにまとめることができる。このとき、紐状部材１３０に固定された位置決め部材１３２を移動することなく全体がコンパクトにまとまるため、使用時に位置決め部材１３２を所望の位置に位置決めする労力を低減することもできる。
【００５４】
この態様を採用した場合において、紐状部材１３０として、ワイヤの代わりに、釣り糸やピアノ線など視認しにくい素材を用いて位置決めしても良い。こうすれば、一見すると飾り用円盤２８が空中に浮いているような印象を演出することができる。言い換えると、飾り用円盤２８によって拡散された光がボルト３０によって遮られ、美観が損なわれる可能性を未然に低減することができる。
【００５５】
上述した実施の形態では、飾り用円盤２８をボルト３０及びナット３２によって固定するものとしたが、図１６に示すように、コイルばね等の弾性体を用いて固定用円盤２２、ミラー円盤２６及び飾り用円盤２８をそれぞれ固定しても良い。こうすれば、ばねの振動に伴って飾り用円盤２８が振動し、飾り用円盤２８によって拡散される光を振動させることができる。言い換えると、ボルト３０及びナット３２で固定した場合と比較して、拡散される光に変化を持たせることができるため、より優れた美観を演出することができる。
【００５６】
また、飾り用円盤２８同士、又は、飾り用円盤２８と固定用円盤２２との位置決めは、コイルばね等の弾性部材や付勢部材を用いて位置決めしても良い。こうすれば、付勢力によって、飾り用円盤２８を周期的に動かすことができるため、飾り用円盤２８の動きに伴って拡散される光も周期的に動かすことができる。言い換えると、飾り用円盤２８が固定されている場合と比較して、より躍動的な美観を演出することができる。
【００５７】
上述した実施の形態では、固定用円盤２２はアクリル製であるものとしたが、固定用円盤２２は、金属製であっても良い。この場合であっても、上述した実施の形態と同様の効果が得られる。
【００５８】
上述した実施の形態では、ミラー円盤２６を備えるものとしたが、ミラー円盤２６は無くても良い。この場合であっても、上述した実施の形態と同様の効果が得られる。
【００５９】
上述した実施の形態では、ミラー円盤２６の両面が鏡面加工されているものとしたが、飾り用円盤２８と対向する面のみ鏡面加工してもよい。この場合であっても、上述した実施の形態と同様の効果が得られる。また、いずれの面も鏡面加工されていなくても良い。この場合であっても、アクリル素材そのものの有する遮蔽効果及び反射効果を期待することができる。また、ミラー円盤２６として、鏡を用いても良い。この場合であっても、上述した実施の形態と同様の効果が得られる。
【００６０】
上述した実施の形態では、飾り用円盤２８は２つ備えられるものとしたが、飾り用円盤２８は１枚であってもよいし、３枚以上であってもよい。いずれの場合であっても、上述した実施の形態と同様の効果が得られる。
【００６１】
上述した実施の形態では、ボルト３０に固定されたナット３２によって飾り用円盤２８を固定するものとしたが、ナット３２に代えて、例えば、ゴムブッシュのように、ボルト３０を締め付けることで固定する固定具を用いても良い。このような場合であっても、上述した実施の形態と同様の効果が得られる。
【００６２】
上述した実施の形態では、発光部はＬＥＤ１２から照射された光を導光部材１６で拡散するものとしたが、例えば、電球型蛍光灯のように、光源が貫通孔２５ｃを通過する発光部であってもよい。この場合には、光源から照射された光が飾り用円盤２８によって拡散されることになり、上述した実施の形態と同様の効果が得られる。
【００６３】
上述した実施の形態では、照明装置１０を取付孔２３に挿入することによって照明装置１０に照明装置用補助具２０を取り付けるものとしたが、照明装置１０と照明装置用補助具２０との取り付け方法はこれに限定されるものではない。例えば、公知のクリップ等を用いても良いし、接着等により直接固定しても良い。これらの方法を用いて固定した場合には、照明装置１０が下方向に取り付けられている場合に限らず、横方向や上方向に取り付けられている場合であっても、優れた美観を演出することができる。
【産業上の利用可能性】
【００６４】
上述した実施の形態で示すように、照明分野、特に、照明器具に取り付ける補助具として利用することができる。
【符号の説明】
【００６５】
１０…照明装置、１２…ＬＥＤ、１３…金属部、１４…口金、１６…導光部材、２０…照明装置用補助具、２１…傾斜面、２２…固定用円盤、２３…取付孔、２４…係合爪、２５…貫通孔、２５ａ…貫通孔、２５ｂ…貫通孔、２５ｃ…貫通孔、２６…ミラー円盤、２７ａ…通過孔、２７ｂ…通過孔、２８…飾り用円盤、３０…ボルト、３２…ナット、１２０…照明装置用補助具、１２１…雌ねじ、１２２…スペーサーねじ、１２４…雄ねじ、１３０…照明装置用補助具、１３１…紐状部材、１３２…位置決め部材、１３４…コイルばね、２２０…照明装置用補助具、２３０…照明装置用補助具、２４０…照明装置用補助具。
【図１】
2012248507.tif 000003
【図２】
2012248507.tif 000004
【図３】
2012248507.tif 000005
【図４】
2012248507.tif 000006
【図５】
2012248507.tif 000007
【図６】
2012248507.tif 000008
【図７】
2012248507.tif 000009
【図８】
2012248507.tif 000010
【図９】
2012248507.tif 000011
【図１０】
2012248507.tif 000012
【図１１】
2012248507.tif 000013
【図１２】
2012248507.tif 000014
【図１３】
2012248507.tif 000015
【図１４】
2012248507.tif 000016
【図１５】
2012248507.tif 000017
【図１６】
2012248507.tif 000018